(57)【要約】【課題】  シリンダー錠におけるピッキングを確実に防止するとともに、特に内筒交換式のシリンダー錠においては、安価且つ容易にピッキング対策を施すことが可能となるシリンダー錠及びそれに用いる内筒を提供する。【解決手段】  シリンダー錠１は、外筒３０と、外筒３０に対して相対回転可能な内筒２０と、外筒３０に対する内筒２０の相対回転を禁止する施錠位置、および、外筒３０に対する内筒２０の相対回転を許可する解錠位置の間を少なくともスライド可能な１つまたは複数のタンブラ４０と、を有し、少なくとも一つのタンブラ４０は、移動規制溝４５を有し、内筒２０は、移動規制溝４５に係止可能な係止手段５５を備えている。【選択図】図５
2019073872.tif 000002
【特許請求の範囲】
【請求項１】
外筒と、
前記外筒に対して相対回転可能な内筒と、
前記外筒に対する前記内筒の相対回転を禁止する施錠位置、および、前記外筒に対する前記内筒の相対回転を許可する解錠位置の間を少なくともスライド可能な１つまたは複数のタンブラと、を有して構成されるシリンダー錠であって、
少なくとも一つのタンブラは、移動規制溝を有し、
前記内筒は、前記移動規制溝に係止可能な係止手段を備える、
ことを特徴とするシリンダー錠。
【請求項２】
前記施錠位置においては、前記タンブラの係合部が前記外筒の係合溝に係合するように構成され、
前記移動規制溝は、前記係合部に設けられる、
ことを特徴とする請求項１に記載のシリンダー錠。
【請求項３】
前記係止手段は、前記内筒の外周面付近に設けられる、
ことを特徴とする請求項１または請求項２に記載のシリンダー錠。
【請求項４】
前記係止手段は、前記内筒の外周面に設けられる板状部材である、
ことを特徴とする請求項１から請求項３のいずれか一項に記載のシリンダー錠。
【請求項５】
前記係止手段は、前記タンブラが前記内筒から離脱することを防止する部材である、
ことを特徴とする請求項１から請求項４のいずれか一項に記載のシリンダー錠。
【請求項６】
前記内筒は、前記外筒に対して交換挿入可能に構成される、
ことを特徴とする請求項１から請求項５のいずれかに記載のシリンダー錠。
【請求項７】
前記タンブラは、不正な移動があると前記施錠位置と前記解錠位置の間において前記移動規制溝に前記係止手段が係止されて移動が規制される、
ことを特徴とする請求項１から請求項６のいずれかに記載のシリンダー錠。
【請求項８】
請求項１から請求項７のいずれか一項に記載のシリンダー錠に用いられる内筒。
【発明の詳細な説明】
【技術分野】
【０００１】
本発明は、シリンダー錠およびその内筒に係り、特にピッキングによる不正な解錠を回避できるシリンダー錠およびその内筒に関する。
【背景技術】
【０００２】
従来、施解錠の対象に固定された外筒と、この外筒の内部で、外筒に対して相対回転する内筒（シリンダー）とを有し、内筒の鍵穴に適合する鍵を挿入し回転させることで施解錠を行うシリンダー錠が知られている。そしてこのようなシリンダー錠では、鍵穴に適合する鍵以外の手段（例えば、工具など）でタンブラを強制的に移動させて内筒を外筒に対して相対回転させる不正解錠行為（所謂ピッキング）を防止するための技術も開発されている。その一例として、不正にタンブラが移動された場合に、外筒に設けた突起によって、タンブラの不正な移動を規制する技術が知られている（例えば、特許文献１参照）。
【０００３】
また、シリンダー錠の一種として、内筒（シリンダー）の交換が可能な内筒交換式のシリンダー錠も広く知られている（例えば、特許文献２参照）。内筒交換式のシリンダー錠は、内筒を交換することによって、容易に施解錠の許可・不許可を変更できるため、鍵の紛失や、施解錠の対象（例えばオフィス機器など）の使用者が変わった場合などの防犯対策として優れている。
【先行技術文献】
【特許文献】
【０００４】
【特許文献１】実用新案登録第３０８３６１２号
【特許文献２】特開２０１４−７４２８２号公報
【発明の概要】
【発明が解決しようとする課題】
【０００５】
しかしながら、内筒交換式のシリンダー錠にも適用可能なピッキングを防止する技術は、未だ検討の余地がある。例えば、特許文献１に記載の技術は、内筒の交換ができないシリンダー錠における技術であり、内筒と外筒によって、不正な解錠を規制する構成となっている。すなわち、従来のピッキング対策が施されていないシリンダー錠から交換するような場合には、施解錠の対象に固定された外筒を交換する必要が生じる。
【０００６】
特に、内筒交換式のシリンダー錠においては、本来、施解錠の対象に固定された外筒を交換する必要がない点に大きな優位性があるところ、上記のように内筒と外筒によって不正な解錠を規制する構成では、ピッキング対策のために外筒を交換しなければならず、本来の利点を活かせず、さらにコストや作業の手間がかかるという大きな問題があった。
【０００７】
本発明は、このような従来の問題点を解決するためのものであって、シリンダー錠におけるピッキングを確実に防止するとともに、特に内筒交換式のシリンダー錠においては、安価且つ容易にピッキング対策を施すことが可能となるシリンダー錠及びそれに用いる内筒を提供することを目的とする。
【課題を解決するための手段】
【０００８】
本発明は、外筒と、前記外筒に対して相対回転可能な内筒と、前記外筒に対する前記内筒の相対回転を禁止する施錠位置、および、前記外筒に対する前記内筒の相対回転を許可する解錠位置の間を少なくともスライド可能な１つまたは複数のタンブラと、を有して構成されるシリンダー錠であって、少なくとも一つのタンブラは、移動規制溝を有し、前記内筒は、前記移動規制溝に係止可能な係止手段を備える、ことを特徴とするシリンダー錠である。
【０００９】
また、本発明は、上記シリンダー錠に用いられる内筒である。
【発明の効果】
【００１０】
本発明に係るシリンダー錠によれば、シリンダー錠におけるピッキングを確実に防止するとともに、特に内筒交換式のシリンダー錠においては、安価且つ容易にピッキング対策を施すことが可能となるという、優れた効果を奏し得る。
【図面の簡単な説明】
【００１１】
【図１】本実施形態にかかるシリンダー錠の概要図であり（ａ）外筒の正面図、（ｂ）外筒の側面図、（ｃ）内筒の側面図、（ｄ），（ｅ）鍵の平面図である。
【図２】本実施形態にかかるシリンダー錠の概要図であり、（ａ）、（ｂ）内筒本体の外観斜視図、（ｃ）、（ｄ）タンブラの平面図である。
【図３】本実施形態にかかる内筒の概要図であり、（ａ）分解斜視図、（ｂ）抜け止め板の平面図、（ｃ）抜け止め板の側面図、（ｄ）抜け止め板の断面図である。
【図４】本実施形態にかかる内筒の概要図であり、（ａ）上面図、（ｂ）側面図、（ｃ）断面図である。
【図５】本実施形態にかかるシリンダー錠のタンブラの動作を示す断面図である。
【図６】本実施形態にかかるシリンダー錠の他の例を示す側面図である。
【発明を実施するための形態】
【００１２】
以下、図面を用いて、本実施形態に係るシリンダー錠１について詳細に説明する。なお以下の実施形態で用いる図面は、一部の構成を適宜省略して、図面を簡略化する場合がある。
【００１３】
＜シリンダー錠＞
図１は、本実施形態に係るシリンダー錠１を示す図であり、同図（ａ）は外筒３０の正面図であり、同図（ｂ）は外筒３０の側面図であり、同図（ｃ）は内筒の側面図であり、同図（ｄ）および同図（ｅ）は鍵１０の概略を示す平面図である。
【００１４】
同図（ａ）〜同図（ｃ）に示すように、シリンダー錠１は、略円筒形状の外筒３０と、この外筒３０の内部に同軸的に配置される略円柱形状の内筒２０と、を有する。
【００１５】
外筒３０は、施解錠を行う対象（例えば、キャビネットやロッカー等）に固定される略円筒状の金属部材であり、内筒２０を相対回転可能に保持する。
【００１６】
内筒２０は、略円筒状の金属部材であり、軸方向に延びる鍵挿通孔（後述）を有し、その前方端部Ｆ（軸方向における一方の端部）である鍵穴から当該鍵挿通孔に適合する鍵１０が挿入されると外筒３０に対して相対回転し、後方端部Ｒ（軸方向における鍵穴２５と逆側の端部）に接続したかんぬき部（不図示）などを回動させる。
【００１７】
かんぬき部は、施解錠を行う対象（例えば、キャビネットやロッカー等）の本体と係合して当該キャビネットやロッカー等の扉の開放を阻止および当該扉の開放を許可するように構成されている。つまり、内筒２０は、この扉の開放を阻止する施錠位置と、扉の開放を許可する解錠位置との間で回転可能に構成されている。
【００１８】
内筒２０は、内筒本体２１と、複数のタンブラ４０と、板状部材５０と、タンブラ４０の付勢手段（例えば、バネなどの弾性部材、ここでは不図示）を少なくとも含むユニットであり、内筒本体２１には、軸方向に沿って複数のタンブラ（この例では板状のディスクタンブラ）４０が収容されている。詳細は後述するが、複数のタンブラ４０は、内筒（内筒ユニット）２０の外周面（内筒本体２１の外周面）に沿って配置された板状部材（抜け止め板）５０によって内筒２０からの離脱が阻止される。また抜け止め板５０には開口部５１が設けられており、タンブラ４０はこの例では内筒２０の径方向の両端部（同図（ｃ）では上下方向の両端部）が開口部５１を介して内筒２０の内部（軸中心方向）と外筒３０方向に進退するようにスライド可能となっている。
【００１９】
同図（ａ）に示すように、外筒３０の内壁の対向する位置（同図（ａ）では上下に対向する位置）には、係合溝３１が設けられており、内筒２０からタンブラ４０が進出して、その一部が係合溝３１に係合すると（施錠位置に移動すると）外筒３０に対する内筒２０の相対回転が禁止され、タンブラ４０が係合溝３１から退行し、内筒２０の内部に収容されると（解錠位置に移動すると）、外筒３０に対する内筒２０の相対回転が許可される。
【００２０】
また、本実施形態のシリンダー錠１は、内筒２０が外筒３０に対して交換挿入可能に構成されている、いわゆる内筒交換型のシリンダー錠１である。
【００２１】
同図（ｂ）を参照して、例えば、内筒本体２１の内部の後方端部Ｒ側（鍵穴の入り口から最も遠い位置）には、タンブラ４０と軸方向に沿って並ぶ係止解除片（係止解除タンブラ）６０が収容されている。また抜け止め板５０の後方端部Ｒ側には係止解除孔５２が設けられており、係止解除片６０は当該係止解除孔５２を介して、内筒２０の内部（軸中心方向）と外筒３０方向に進退するようにスライド可能となっている。
【００２２】
外筒３０の内壁の係止解除片６０に対向する位置（同図（ｃ）では下側）には、例えば、係合溝３１と同様の係止解除溝（不図示）が設けられており、内筒２０から係止解除片６０が進出して、係止解除溝に係合している場合は、内筒２０の外筒３０からの引き抜きが禁止され、係止解除片６０が係止解除溝から退行すると、内筒２０の外筒３０からの引き抜きが許可される。
【００２３】
そして、同図（ｄ）および同図（ｅ）に示すように、或る１つのシリンダー錠１に対応する鍵１０は、少なくとも同図（ｄ）に示すシリンダー錠１の施解錠用の鍵（施解錠鍵１０Ａ）と、同図（ｅ）に示す内筒の交換用の鍵（内筒交換鍵１０Ｂ）を含んでいる。
【００２４】
鍵１０は、把持部１３と、差込部１１とを有し、差込部１１の側部（図では上下の側部）には、それぞれ不図示の鍵溝が刻まれている。鍵溝は、複数段階の深さのうち何れかの深さに形成されている。内筒交換鍵１０Ｂは、施解錠鍵１０Ａと同じ鍵溝が形成され、その差込部１１の先端は、施解錠鍵１０Ａよりも長く形成された延長部１１ａが設けられている。
【００２５】
図示は省略するが、内筒２０（内筒本体２１）に収容される係止解除片には、内筒交換鍵の延長部１１ａが挿入される延長部挿入孔が形成され、当該延長部挿入孔に延長部１１ａが挿入されると、係止解除片６０が例えば同図（ｃ）に示す上方に押し上げられるようになっている。つまり、内筒交換鍵１０Ｂが鍵穴に挿入されると、その延長部１１ａが係止解除片６０を押し上げ、係止解除片６０が外筒３０の係止解除溝から退行して係合が解除され、内筒２０は外筒３０から引き抜き得るようになる。
【００２６】
なお、内筒交換鍵１０Ｂは、特定のシリンダー錠１に対応するものに限らず、マスターキーであってもよく、それによって、１つの鍵で複数のシリンダー錠１の施解錠をできるとともに、内筒２０の交換や鍵１０の管理をすることができる。
【００２７】
図２を参照して内筒本体２１とタンブラ４０について更に説明する。同図（ａ）は、前方端部Ｆ側から見た内筒本体２１の外観斜視図であり、同図（ｂ）は、後方端部Ｒ側から見た内筒本体２１の外観斜視図であり、同図(ｃ)及び同図（ｄ）は、複数のタンブラ４０の一例を示す平面図である。なお、内筒本体２１とタンブラ４０の縮尺は異なっている。
【００２８】
同図（ａ）、同図（ｂ）に示すように、内筒本体２１は、前方端部Ｆに鍵穴２５が設けられ、略筒状部分には径方向に貫通するタンブラ収容部２２と、係止解除片収容部２３が設けられている。タンブラ収容部２２は、複数のタンブラ４０が互いに離間して配置されるように構成されている。また、後方端部Ｒにはかんぬき部（不図示）などが接続する接続部２４が設けられる。
【００２９】
同図（ｃ）、同図（ｄ）に示すようにタンブラ４０は例えば略矩形状の板状のタンブラ（ディスクタンブラ）であり、内筒２０の径方向の一方の端部（ハッチングで示す図示の上端部、または下端部）が外筒３０の係合溝３１に係合する係合部４１となっている。また、タンブラ４０の略中央付近には、鍵１０が挿通される鍵挿通孔４２が設けられる。鍵挿通孔４２は、適合する鍵１０の軸方向（長手方向）に延びる鍵山のそれぞれに対応（当接可能な）形状となっており、鍵山の形状に応じて例えばタンブラ４０毎に異なる形状となっている。
【００３０】
本実施形態のタンブラ４０は、係合部４１の幅方向の一端（内筒２０に収納した場合の周方向の一端）に移動規制溝４５を有している。移動規制溝４５は例えば、内筒２０（内筒本体２１）の外周面に沿うように、係合部４１の幅方向の一端からタンブラ４０の中心方向に切り欠かれた溝である。後に詳述するが、移動規制溝４５は、タンブラ４０の不正な移動（具体的には、施錠位置から解錠位置の方向に向かう移動）があった場合に、解錠位置に達する以前に内筒２０の外周付近に係止され、係合部４１が外筒３０の係合溝３１から完全に離脱（退行）しないように、タンブラ４０の移動を規制する。
【００３１】
なお、同図(ｃ)及び同図（ｄ）は、１つの内筒２０に複数の形状（鍵挿通孔４２の形状、移動規制溝４５の位置）を有するタンブラ４０があることを説明するためのものであり、タンブラ４０の数と形状は同図の例に限らない。
【００３２】
また、係合部４１および移動規制部４５は１つのタンブラ４０の上下両端部に設けられているが、内筒２０に組み込まれた場合には、上端部または下端部のいずれか一方が係合部４１および移動規制部４５として使用される。
【００３３】
図３および図４は内筒（内筒ユニット）２０を説明する図であり、同図（ａ）が分解斜視図であり、同図（ｂ）が抜け止め板５０の上面図であり、同図（ｃ）が同図（ｂ）を図示の下方から見た側面図であり、同図（ｄ）が同図（ｂ）のＸ−Ｘ線断面図である。なお、同図（ａ）においてタンブラ４０は概略で示すが、詳細は図２（ｂ）、同図（ｃ）に示すタンブラ４０と同様である。また、図４（ａ）は内筒２０の上面図、同図（ｂ）は側面図、同図（ｃ）は図４（ｂ）のＹ−Ｙ線に相当する断面図である。
【００３４】
図３（ａ）に示すように、内筒本体２１のタンブラ収容部２２と係止解除片収容部２３にはそれぞれ、タンブラ４０と係止解除片６０と、これらに対応する付勢手段（例えば、弾性部材）２６が収容される。弾性部材２６は、例えばコイルばねであり、タンブラ４０と係止解除片６０のそれぞれを内筒２０から外筒３０に向かう方向に付勢する。
【００３５】
鍵挿通孔４２は、各タンブラ４０の位置に対応する鍵１０の鍵溝と当接するように設定され、鍵１０が鍵挿通孔４２に挿入されると、各タンブラ４０は、対応する位置の鍵溝の深さに応じて、コイルばね２６の付勢力に抗して内筒２０内に引き込まれる。シリンダー錠１に適合する鍵１０の場合、すなわち、全てのタンブラ４０について内筒２０内へのタンブラ４０の引き込み量が適切な場合、タンブラ４０の上方または下方の係合部４１が何れも外筒３０の係合溝３１から退行し、内筒２０（内筒本体２１）内に収容される。つまり、タンブラ４０の係合部４１は、施錠位置から解錠位置に移動し、これによって、内筒２０が外筒３０に対して相対回転が可能となる。
【００３６】
一方、シリンダー錠１に対して不適合な鍵１０が鍵穴２５から挿入された場合、少なくとも１つのタンブラ４０について内筒２０内へのタンブラ４０の引き込み量が適切ではなくなる。これにより、タンブラ４０の係合部４１と外筒３０の係合溝３１との係合状態が保たれ、内筒２０の相対回転が規制（阻止）されたままになる。
【００３７】
なお、係止解除片６０は、本実施形態のタンブラの一部であり、タンブラ４０と同様にして係止解除片収容部２３に収容される。
【００３８】
そして本実施形態では、抜け止め板５０によって、各タンブラ４０（係止解除片６０も含む、以下同様）の内筒本体２１からの離脱が阻止されている。従来より、例えばかしめなどによって内筒本体２１の一部を変形させてタンブラの抜け止めとする方法などが知られているが、本実施形態では、内筒本体２１の外周面に抜け止め板５０を固定する。
【００３９】
抜け止め板５０は、同図（ｂ）〜同図（ｄ）に示すように、内筒本体２１の外周面に沿う断面視略半円弧形状の板状部材であり、内筒本体２１のタンブラ収容部２２と係止解除片収容部２３のぞれぞれに対応する位置に開口部５１と、係止解除孔５２が設けられている。開口部５１と、係止解除孔５２の円周方向の開口端部Ｔはいずれも、タンブラ４０の肩部４７（図２（ｃ）、同図（ｄ）参照）よりもタンブラ４０（内筒本体２１）の中心よりに位置している。また抜け止め板５０の円周方向の両端には複数（この例では片側ずつ３本、計６本）の脚部５３が設けられている。
【００４０】
図３（ａ）に示すように、内筒本体２１には脚部５３のそれぞれに対応した位置に固定用凹部２７が設けられている。内筒本体２１にタンブラ４０とコイルばね２６を収容した後、図４に示すように、径方向両側（図では上下）のタンブラ収容部２２と係止解除片収容部２３とを覆うように抜け止め板５０を内筒本体２１の外周（径方向の対向する位置、図では上下の対向位置）に当接させ、脚部５３の先端を固定用凹部２７に折り込むようにして、内筒本体２１に抜け止め板５０を固定する。
【００４１】
これにより、タンブラ４０はその肩部４７が開口部５１と、係止解除孔５２の開口端部Ｔに規制され、内筒本体２１からの離脱が規制される。
【００４２】
また、本実施形態の抜け止め板５０の一部、具体的には、抜け止め板５０の開口端部Ｔは、タンブラ４０の不正な移動があった場合に移動規制溝４５に係止可能な係止手段５５となる。すなわち、タンブラ４０は、不正な移動があると、施錠位置から解錠位置に移動する間において、移動規制溝４５に抜け止め板５０の開口端部Ｔが係止されて、それ以降の移動が規制される。以下、これについて説明する。
【００４３】
＜タンブラの動き＞
図５は、シリンダー錠１が施錠されている状態において、ピッキングなどによってタンブラ４０が不正な移動をする様子を示す断面図（図４（ｂ）のＹ−Ｙ線に対応する断面図）であり、同図（ａ）が施錠状態を示す図であり、同図（ｂ）がタンブラ４０が不正に移動される初期の状態を示す図であり、同図（ｃ）がタンブラ４０の移動が規制された状態を示す図である。
【００４４】
既述のように、タンブラ４０は、外筒３０に対する内筒２０の相対回転を禁止する施錠位置、および、外筒３０に対する内筒２０の相対回転を許可する解錠位置の間をスライド可能に構成されている。同図（ａ）〜同図（ｃ）に示すように、タンブラ４０の係合部４１が外筒３０の係合溝３１から完全に退行していない場合、タンブラ４０の係合部４１と外筒３０の係合溝３１との係合状態が保たれる。すなわち、同図（ａ）〜同図（ｃ）のいずれの係合部４１の位置も、施錠位置に含まれる。
【００４５】
一方、解錠位置は、係合部４１が係合溝３１から内筒２０の内部（軸の中心方向）に退行し、係合部４１の全体が内筒２０の内部に収容されている位置をいう。すなわち、鍵挿通孔４２に適合する鍵１０が挿入されるとタンブラ４０はコイルばね２６の付勢力に逆らって押し下げられる結果、タンブラ４０の係合部４１が係合溝３１から内筒２０の内側（軸の中心方向）に引き込まれる。これにより内筒２０と外筒３０の係止が解除されて、内筒２０が外筒３０に対して相対回転が可能となる。すなわち、図２にハッチングで示す係合部４１の全てが、内筒２０の内側に位置した状態が、解錠位置にある状態である。
【００４６】
なお、同図では、タンブラ４０の上方の係合部４１が外筒３０の内壁の上方に設けられた係合溝３１と係合するように進退する場合を示しているが、複数のタンブラ４０の一部は、タンブラ４０の下方の係合部４１が外筒３０の内壁の下方に設けられた係合溝３１と係合するように進退する（図１（ｃ）参照）。
【００４７】
まず、図５（ａ）に示すように正常な施錠状態では、タンブラ４０はコイルばね２６によって上方の外筒３０側に付勢され、正常な状態でタンブラ４０の係合部４１が係合溝３１内に進入する。すなわち係合部４１は施錠位置に位置し、係合部４１と係合溝３１の係合によって、外筒３０に対する内筒２０の相対回転が禁止されている。
【００４８】
シリンダー錠１が、いわゆるピッキングによって解錠される場合、工具などの差込みによって、同図（ｂ）に示すように内筒２０が僅かに解錠方向（同図では時計回りの方向）に回転する。すると、本来生じているタンブラ４０と内筒本体２１のクリアランスＣなどによって、タンブラ４０も僅かに姿勢が変化し、この結果、内筒２０の内側に向けて移動する。これにより係合部４１は、すなわち解錠位置（同図では下方）に向かって移動を開始する。
【００４９】
しかしながら、シリンダー錠１に適合する鍵１０による解錠ではないため、同図(ｂ)に示すように係合部４１が解錠位置に移動する（内筒２０内に収容される）ことなく、内筒２０が回転することとなる。この結果、係合部４１の回転方向の最前部（同図（ｂ）では破線丸印で示す右端部）が外筒３０（係合溝３１）に当接し、逆方向（施錠方向、同図（ｂ）では反時計回りの方向）に押し戻される。
【００５０】
これにより、同図(ｃ)に示すように、タンブラ４０の移動規制溝４５に、抜け止め板５０の開口端部Ｔが係止され、タンブラ４０のそれ以上の移動（上下方向の移動）が規制される。本実施形態では、係合部４１に移動規制溝４５が設けられており、タンブラ４０の係合部４１が施錠位置にある状態で（解錠位置に移動する以前に）移動規制溝４５に抜け止め板５０の開口端部Ｔが係止されるため、外筒３０と内筒２０の係合状態が維持され、内筒２０もそれ以上解錠方向へ（また施錠方向へも）回動することができない。このようにして、ピッキングによる不正な解錠を防止することができる。
【００５１】
なお、既に述べているように、正常な解錠動作（鍵挿通孔４２に適合する鍵１０による解錠動作）では、タンブラ４０が正常に内筒２０内に没入した後に内筒２０が回転するため、移動規制溝４５に抜け止め板５０の開口端部Ｔが係止することはない。
【００５２】
以上、本実施形態では、内筒交換式のシリンダー錠１、特にタンブラ４０がディスクタンブラである場合を例に説明したが、内筒２０は、外筒３０に対して交換挿入可能に構成されていないシリンダー錠１（タンブラ４０がディスクタンブラであるもの）である場合であっても同様に適用できる。
【００５３】
この場合、図６に示すように、シリンダー錠１の例えば後方端部Ｒに、外筒３０から内筒２０が抜けることを規制する内筒の抜け止め部材Ｗを設ける。抜け止め部材Ｗは例えば、ナットＷ１、ワッシャーＷ２などであり、これらによって内筒２０を外筒３０に固定し、また抜け止め部材Ｗを外筒３０から離脱させることで内筒２０を外筒３０から取り出すことができる。
【００５４】
このように、本実施形態によれば、タンブラ４０の係合部４１に設けた移動規制溝４５を、内筒２０に設けた係止手段（例えば、抜け止め板５０の一部）５５に係止させる構成としたので、外筒３０の構成を用いることなく、内筒（内筒ユニット）２０のみにおいて、不正な解錠を防ぐことができる。
【００５５】
従って、ピッキング対策が施されていない内筒交換式のシリンダー錠から交換するような場合において、施解錠の対象に固定された外筒を交換することなく、内筒（内筒ユニット）２０のみの交換で、安価に且つ効率よくピッキング対策を施すことができる。
【００５６】
特に、内筒交換式のシリンダー錠１は、本来、施解錠の対象に固定された外筒を交換する必要がない点に大きな優位性があるところ、従来技術のように外筒の構成を利用する場合には外筒の交換が必須となってしまうが、本実施形態によれば、通常の内筒２０の交換と同様な内筒２０の交換のみでピッキング対策を施すことができる。
【００５７】
さらに、移動規制溝４５に係止する係止手段５５は、タンブラ４０の内筒本体２１からの離脱を規制する抜け止め板５０の一部であるため、ピッキング対策として別途特有の部品を追加する必要がなく、部品点数の増加も回避できる。
【００５８】
このように、本実施形態によれば、簡便・容易かつ安価にピッキング対策を施すことができる。
【００５９】
以上、本発明のシリンダー錠１は上記の例に限らず、タンブラ４０に設けられた当該移動規制溝４５が内筒（内筒ユニット）２０の一部に係止して、内筒（内筒ユニット）２０のみによってタンブラ４０の不正な移動が規制される構成であればよい。
【００６０】
例えば、移動規制溝４５に係止する係止手段５５は、抜け止め板５０でなくてもよい。すなわち、タンブラ４０の内筒２０からの離脱を規制する手段との兼用でなくてもよい。例えば、従来のタンブラの抜け止め方法のように、内筒本体２１の変形（かしめ）などによってタンブラ４０の内筒本体２１からの離脱が規制されていてもよく、この場合、タンブラ４０が挿抜される内筒本体２１の外周面の付近（抜け止め板５０の開口部５１に対応する付近）に板状部材を取り付けて係止手段５５としてもよい。また、係止手段５５を内筒本体２１と一体的に成形してもよい。
【００６１】
また、移動規制溝４５は、少なくとも１つのタンブラ４０に設けられればよい。
【００６２】
また、タンブラ４０に設けられた当該移動規制溝４５が内筒（内筒ユニット）２０の一部に係止して、タンブラ４０の不正な移動が規制される構成であれば、移動規制溝４５が設けられる位置は、係合部４１に限らない。
【００６３】
また、タンブラ４０の表裏を入れ替えての組み替えも可能である
【００６４】
また、シリンダー錠１の施解錠方式や内筒の交換方式などは、上記に限定されず、用途等に応じて種々適用可能である。
【産業上の利用可能性】
【００６５】
本発明にシリンダー錠は、机の引出しやキャビネット、ロッカー等の錠前等に利用することができる。
【符号の説明】
【００６６】
１    シリンダー錠
１０    鍵
１０Ａ    施解錠鍵
１０Ｂ    内筒交換鍵
１１    差込部
１１ａ    延長部
１３    把持部
２０    内筒
２１    内筒本体
２２    タンブラ収容部
２３    係止解除片収容部
２４    接続部
２５    鍵穴
２６    弾性部材
２７    固定用凹部
３０    外筒
３１    係合溝
４０    タンブラ
４１    係合部
４２    鍵挿通孔
４５    移動規制溝
４７    肩部
５０    板状部材（抜け止め板）
５１    開口部
５２    係止解除孔
５３    脚部
５５    係止手段
６０    係止解除片
【図１】
2019073872.tif 000003
【図２】
2019073872.tif 000004
【図３】
2019073872.tif 000005
【図４】
2019073872.tif 000006
【図５】
2019073872.tif 000007
【図６】
2019073872.tif 000008